(57)【要約】      （修正有）【課題】特殊な道工具あるいは特殊な装置を用いることなく、通常のソケットレンチならびにエクステンションロッドなどで、台座の上方の離れた位置から、台座の水平方向の移動と固定を行える台座移動固定機構の提供。【解決手段】台座移動固定機構１０は、クサビ押しボルト１４をねじ込むことにより、固定台座２１に取り付けてあるクサビガイド１３に案内されて下方に押し込まれる押しクサビ１１が受けクサビ１２を介して、移動台座２２を移動させることができ、また両方のクサビ押しボルトを同時にねじ込むことでこの台座を固定することができる機構であり、押しボルトは頭を上にして鉛直軸上に配置されているので、特殊な工具あるいは装置を用いることなく通常のソケットレンチおよびエクステンションロッドを用いて台座の上方の離れた位置から容易に台座の移動と固定作業を行う。【選択図】図１
0003125911.tif 000002
【実用新案登録請求の範囲】
【請求項１】
固定台座の上に載せた移動台座の両側に仰角をもった受けクサビを取り付け、固定台座の両側に取り付けたクサビガイドにより上下にスライドできる俯角をもった押しクサビを設け、これらの受けクサビと押しクサビを対面させて配置してあり、押しボルトで押しクサビを押し下げることにより受けクサビを介して移動台座の移動と固定ができ、一方の押しクサビを押している押しボルトを予め緩めておけば他方の押しボルトの押し込み操作により移動してきた受けクサビにより押し戻された一方の押しクサビは抵抗することなく自由にせり上がることができる様にしてある台座移動固定機構であって、押しボルトは鉛直軸上にボルト頭を上に向けて配置してあることにより、普通のソケットレンチを上方から宛がって用いることで台座の移動あるいは固定のための操作が容易にできることを特徴とする「台座移動固定機構」。
【考案の詳細な説明】
【技術分野】
【０００１】
本考案は、台座の位置を前後左右に調整し、調整が終ったらその台座を固定するための台座移動固定機構に関するものである。
【背景技術】
【０００２】
陽子線、中性子線、あるいはその他の放射線を用いる設備において、それらの放射線を検出する検出器あるいは放射線を希望の方向に導く導管もしくは放射線の選別機などを載せた台座を、放射されてくる放射線の位置に合わせて調整し、また調整が終ったら台座を固定する必要がある。このために、移動台座に設けた受け板を固定台座に設けたネジ付きの板に通した横向きの台座押しボルトで前後左右から押して、位置を調整し固定する方式の台座が採用されていた。
【考案の開示】
【考案が解決しようとする課題】
【０００３】
前述の方式の台座では、押しボルトを操作しようとする場合に以下に述べる不具合があった。
【０００４】
これらの機器が厚くて重い遮蔽体で覆われているものにあっては、必要作業スペースを確保するために遮蔽体の一部を移動する必要を生じることがある。しかし、これらの重い遮蔽体の移動には多大の手間を必要とする。台座の側面にある遮蔽体を移動せずに遮蔽体の天蓋のみを外して、台座位置の調整作業をしようと図った場合は、前記の台座の１メートルないし１．５メートルほどの上方から工具を伸ばして台座の横側に突き出た台座押しボルトを操作しなければならない。
【０００５】
通常の２４枚歯ラチェット付きレンチにエクステンションロッドを組み合わせた工具では、ロッド上端の振り幅は約４０センチメートルにもなり、周辺にある他の機器の配置具合によっては、レンチの操作に支障を生じることもあった。７２枚歯ラチェットを用いる手段もあるが、この場合は１．５メートルのエクステンションロッド上端の振り幅は１０数センチメートルで済むものの、レンチを多数回往復させなければならず、作業効率はよくなかった。また、これらのレンチがボルトの頭から外れないようにするためには、レンチをボルト軸方向に押し付けながらレンチを軸直角面内で振る必要があり作業性が悪かった。勿論、特殊な工具を工夫することによってこれらの問題を解決する道もあるが、普通の工具を用いて能率よく移動調整ならびに固定作業ができる台座移動機構も望まれている。
【０００６】
従って、台座の移動機構を工夫することによって、押しボルトの向きを縦向きにして、前述の欠点を解決しようとするものである。
【課題を解決するための手段】
【０００７】
本考案は、２つのクサビを向かい合せて用い、一方のクサビは移動台座に固定し、もう一方のくさびは固定台座に取り付けたクサビガイドに装着し、クサビ押しボルトによってこのクサビを下方に押し込み、これによって移動台座の移動と固定を行う様にした。このことにより、クサビ押しボルトの軸を鉛直にし、ボルト頭を上に向けて配置することができる。このため、上方から普通のソケットレンチとエクステンションロッドを併用するのみで、台座の上方からその移動と固定作業ができるようになり、前述の問題を解決している。
【考案の効果】
【０００８】
上述のように、本考案の台座移動固定機構を用いることにより、台座の側面にある重い遮蔽体を移動せず、天蓋を外すのみで作業を行う場合も、垂直に立てたエクステンションロッド上端の旋回作業は周辺の他の機器にあまり干渉されること無く能率よく実行できる。また、押しボルトの頭はソケットレンチの底部まで差し込まれ、レンチおよびエクステンションロッドの自重により下方に押し付けているのでボルト頭はレンチから外れ難く、ロッド上端の旋回を能率よく実行できるので、作業性がよい。
【考案を実施するための最良の形態】
【０００９】
クサビを製作するに当たってクサビの角度（α）をどの様にするかは重要な課題である。一方の（例；右側の）クサビで台座をある方向（例；右から左へ）に押した場合、反対側の（例；左の）クサビは上の方向押し上げられるような力を受ける。もしクサビの角度がクサビならびにクサビガイドの摩擦係数から求められる押し戻し限界角度（β）より小さい場合はクサビは押し上げられずに固着してしまうので、クサビを人為的に引き揚げてやる機構を設ける必要が生じるが、この押し戻し限界角度（β）より大きな角度のクサビは、クサビ押しボルトを緩めておくだけで、クサビは自らせり上がってくれるので、クサビの角度（α）は図６で求められる押し戻し限界角度（β）より大きく設定する。
【００１０】
一方、ある限界より大きな角度のクサビは、移動の為に上からクサビ押しボルトで押し込んだ時に固着してしまい、所要の台座移動動作ができなくなる。この限界の角度を押し込み限界角度（γ）とすると、クサビの角度（α）は図７で求められる押し込み限界角度（γ）より小さく設定する必要がある。したがって、クサビの角度（α）は押し戻し限界角度（β）より大きく、かつ、押し込み限界角度（γ）より小さな角度に設定しなければならない。このためには、押し戻し限界角度（β）は押し込み限界角度（γ）より十分に小さくなければならない。この限界角度（β、γ）はクサビ、クサビガイドならびに台座の摩擦係数より図６および図７によって求めることができるが、前述の大小関係にある限界角度（β、γ）を得るためには、各部の摩擦係数の選定が重要な要因になる。
【００１１】
摩擦係数の小さなクサビを用いることは、前述の限界角度（β、γ）の差が大きくなるので、クサビの角度（α）の設定が容易になる。クサビの摩擦係数が大きすぎる場合は、限界角度（β、γ）の差が狭まり、最悪の場合は押し戻し限界角度（β）より押し込み限界角度（γ）の方が小さい値になるような逆転現象が生じる場合がある。このような場合は、各部間の摩擦係数を低減してやることで問題を解決できる。このためには、各摺動面の表面粗さを十分精細（例；Ｒａ≪6.3μｍ）にし防錆処置（例；防錆兼潤滑油塗布）を施すこと、あるいは摺動面の間にリニアガイドレール、コロ、あるいは低摩擦スライドパッド等を装着してやることが有効である。図８には摩擦係数の選定例について、その適合例と不適合例の双方を示す。
【実施例】
【００１２】
以下、添付図面に従って一実施例を説明する。図１は本考案による台座移動固定機構（１０）と固定台座（２１）ならびに移動台座（２２）とを組み合わせた実施例の側面方向の断面図である。例えば、左側の押しボルト（１４）を緩めた状態にしておき、右側の押しボルト（１４）を押し下げてゆくと、右側の押しクサビ（１１）が下がることにより、受けクサビ（１２）を介して移動台座（２２）は左側に移動する。左側の受けクサビ（１２）は左側の押しクサビ（１１）を押し付けることになるが、クサビの角度（α）を適切に設定しておけば、左の押しクサビ（１１）は上方に逃げてくれる。
【００１３】
移動台座を固定する場合は、左右の押しボルト（１４）を同時に締め付けることにより、左右の押しクサビ（１１）が左右の受けクサビ（１２）を同時に押し付け、移動台座（２２）は左右方向の移動ができなくなり固定される。
【００１４】
図２は前述の実施例を平面的に見た例で、台座移動固定機構（１０）を前後左右に２個ずつ、合計８個設けてある。このことにより、移動台座の回転は拘束されており、左右のみあるいは前後のみの移動操作を各々独立して行うことができる。台座移動固定機構（１０）は必ずしも８個を必要とはせず、簡略化を図りたい場合は、一つの辺に２個配置し、それに相対する辺には中央付近に１個を配置し、合計６個の台座移動固定機構（１０）を設ければ、前述と同様の移動ならびに固定が可能である。
【００１５】
移動したい方向が、左右のみあるいは前後のみである場合は、移動する必要がない方向に直交するガイドレールを設け、移動したい方向に直交する２辺にのみ台座移動固定機構（１０）を３個または４個配置することでよい。
【００１６】
図３は台座移動固定機構（１０）の平面断面の拡大図である。押しクサビ（１１）には蟻溝が設けられていて、クサビガイドポスト（１３ａ）に固定されたＴ字形のクサビガイドレール（１３ｂ）にはめ合わされている。これにより、押しクサビ（１１）は横にずれることなく、上下動のみを可動としてある。勿論、蟻溝とＴ字形の関係を逆転し、クサビガイドレール（１３ｂ）に蟻溝を、押しクサビ（１１）にＴ字形のシューを設けてもよい。
【００１７】
図４および図５は、従来用いられていた台座移動固定機構であって、メネジ付き板（３２）に装着された台座押しボルト（３１）で受け板（３３）を押し、移動台座（２２）を移動したり、固定したりしている。したがって、ボルトを廻すスパナは台座の側方から宛がうのが通常の作業方法であって、上方の離れた位置からこれらのボルトを能率よく廻すためには特殊な工具を必要としていた。
【図面の簡単な説明】
【００１８】
【図１】本考案による台座移動固定機構（１０）を用いた台座の断面図である。
【図２】同台座の平面図である。
【図３】本考案による台座移動固定機構（１０）の平面断面拡大図である。
【図４】従来一般的に用いられていた改善前の台座の一例をしめす平面図である。
【図５】同従来事例の側面図である。
【図６】押し戻し限界角（β）に関する計算式である。
【図７】押し込み限界角度（γ）に関する計算式である。
【図８】図７及び図８の計算式に数値を入れての計算例である。
【符号の説明】
【００１９】
１０      台座移動固定機構
１１      押しクサビ
１２      受けクサビ
１３      クサビガイド
１３ａ    クサビガイドポスト
１３ｂ    クサビガイドレール
１３ｃ    止めネジ
１３ｄ    メネジ付きフランジ
１４      クサビ押しボルト
２１      固定台座
２２      移動台座
３１      台座押しボルト
３２      メネジ付き板
３３      受け板
【００２０】
α        クサビの角度
β        押し戻し限界角
γ        押し込み限界角
μ１      移動台座と固定台座の間の摩擦係数
λ１      移動台座と固定台座の間の摩擦角
μ２      押しクサビと受けクサビの間の摩擦係数
λ２      押しクサビと受けクサビの間の摩擦角
μ３      押しクサビとクサビガイド間の摩擦係数
λ３      押しクサビとクサビガイド間の摩擦角
Ｆ        押しクサビを押し込むのに要する力
Ｑ        移動台座を動かすのに必要な力
Ｗ        移動台座およびそれに乗せている機器等の重量
Ｆ        押しクサビを押し込むのに要する力
Ｆ’      押しクサビを引き抜くのに要する力
Ｑ        移動台座の反力（静止している台座を動かすのに必要な力、または一方のクサビが他方のクサビを押し戻す力）
【図１】
0003125911.tif 000003
【図２】
0003125911.tif 000004
【図３】
0003125911.tif 000005
【図４】
0003125911.tif 000006
【図５】
0003125911.tif 000007
【図６】
0003125911.tif 000008
【図７】
0003125911.tif 000009
【図８】
0003125911.tif 000010